(57)【要約】【課題】透光部を明るく照らすことができる電子機器を提供する。【解決手段】実施形態の電子機器は、筐体と、ユーザの手を感知できるセンサ領域と、前記センサ領域の内側に設けられた透光部と、を有するとともに、前記筐体の内部に設けられた第１の基板と、前記透光部に向けて光を照射する光源が設けられるとともに、前記第１の基板から分離して設けられた第２の基板と、内側に前記光源と前記透光部とが配置された貫通孔部が設けられるとともに、前記第１の基板と前記第２の基板との間に介在された弾性体と、を備え、前記貫通孔部の周囲を規定した縁部は、前記透光部よりも外側で、前記センサ領域よりも内側に位置される。【選択図】図３
2013134361.tif 000002
【特許請求の範囲】
【請求項１】
筐体と、
ユーザの手を感知できるセンサ領域と、前記センサ領域の内側に設けられた透光部と、を有するとともに、前記筐体の内部に設けられた第１の基板と、
前記透光部に向けて光を照射する光源が設けられるとともに、前記第１の基板から分離して設けられた第２の基板と、
内側に前記光源と前記透光部とが配置された貫通孔部が設けられるとともに、前記第１の基板と前記第２の基板との間に介在された弾性体と、
を備え、
前記貫通孔部の周囲を規定した縁部は、前記透光部よりも外側で、前記センサ領域よりも内側に位置される電子機器。
【請求項２】
前記筐体は、前記第１の基板を位置決めするための位置決め部を有する請求項１に記載の電子機器。
【請求項３】
前記弾性体は、スポンジ状をなしている請求項２に記載の電子機器。
【請求項４】
筐体と、
ユーザの手を感知できる複数のセンサ領域と、前記複数のセンサ領域の内側にそれぞれ設けられた複数の透光部と、を有するとともに、前記筐体の内部に設けられた第１の基板と、
前記複数の透光部に向けてそれぞれ光を照射する複数の光源が設けられるとともに、前記第１の基板から分離して設けられた第２の基板と、
内側に前記光源と前記透光部とがそれぞれ配置された複数の貫通孔部が設けられるとともに、前記第１の基板と前記第２の基板との間に介在された弾性体と、
を備え、
前記複数の貫通孔部の周囲を規定した複数の縁部は、前記複数の透光部よりも外側で、前記複数のセンサ領域よりも内側にそれぞれ位置される電子機器。
【請求項５】
前記複数の透光部は、互いの大きさが異なるとともに、
前記複数の貫通孔部は、互いの大きさが異なる請求項４に記載の電子機器。
【請求項６】
筐体と、
ユーザの手を感知できるセンサ領域と、前記センサ領域の内側に設けられた透光部と、を有するとともに、前記筐体の内部に設けられた第１の基板と、
前記透光部に向けて光を照射する光源が設けられるとともに、前記第１の基板から分離して設けられた第２の基板と、
内側に前記光源と前記透光部とが配置された貫通孔部が設けられるとともに、前記第１の基板と前記第２の基板との間に介在された弾性体と、
を備える電子機器。
【発明の詳細な説明】
【技術分野】
【０００１】
本発明の実施形態は、透光部に向けて光を照射する光源が設けられる電子機器に関する。
【背景技術】
【０００２】
例えば、タッチセンサを備えた電子機器が存在している（特許文献１参照）。
【先行技術文献】
【特許文献】
【０００３】
【特許文献１】特開２００８−４６２５２号公報
【発明の概要】
【発明が解決しようとする課題】
【０００４】
電子機器にタッチセンサを設けることは一般的であるが、このタッチセンサの部分はＬＥＤ等の光源で照明されることが多い。このため、タッチセンサ部分は、比較的ユーザの目につきやすい部分といえる。そして、タッチセンサ部分の構造が装置全体の高級感を左右する場合があり、この部分の改良に関する技術的ニーズが存在していた。
【課題を解決するための手段】
【０００５】
実施形態の電子機器は、筐体と、ユーザの手を感知できるセンサ領域と、前記センサ領域の内側に設けられた透光部と、を有するとともに、前記筐体の内部に設けられた第１の基板と、前記透光部に向けて光を照射する光源が設けられるとともに、前記第１の基板から分離して設けられた第２の基板と、内側に前記光源と前記透光部とが配置された貫通孔部が設けられるとともに、前記第１の基板と前記第２の基板との間に介在された弾性体と、を備え、前記貫通孔部の周囲を規定した縁部は、前記透光部よりも外側で、前記センサ領域よりも内側に位置される。
【図面の簡単な説明】
【０００６】
【図１】第１の実施形態の電子機器の一例である光ディスクプレーヤを示した斜視図。
【図２】図１に示す光ディスクプレーヤの筐体の一部、第１の基板、第２の基板、および弾性体を分解して内側から示した分解斜視図。
【図３】図２に示す筐体の一部、第１の基板、第２の基板、および弾性体の水平方向に沿った断面図。
【図４】図２に示す第１の基板の停止ボタンに対応するセンサ領域および透光部、弾性体の貫通孔部および縁部を示した正面図。
【図５】第１の実施形態の光ディスクプレーヤの第１の変形例の第１の基板のセンサ領域および透光部、弾性体の貫通孔部および縁部を示した正面図。
【図６】第１の実施形態の光ディスクプレーヤの第２の変形例の第１の基板のセンサ領域および透光部、弾性体の貫通孔部および縁部を示した正面図。
【図７】図２に示す第１の基板の再生・一時停止ボタンに対応するセンサ領域および透光部、弾性体の貫通孔部および縁部を示した正面図。
【図８】第１の実施形態の光ディスクプレーヤの第３の変形例の第１の基板のセンサ領域および透光部、弾性体の貫通孔部および縁部を示した正面図。
【図９】第２の実施形態の電子機器の一例である光ディスクプレーヤの筐体の一部、第１の基板、第２の基板、および弾性体の水平方向に沿った断面図。
【図１０】第３の実施形態の電子機器の一例である光ディスクプレーヤの筐体の一部、第１の基板、第２の基板、および弾性体の水平方向に沿った断面図。
【発明を実施するための形態】
【０００７】
以下、図１から図８を参照して、電子機器の一例である光ディスクプレーヤ（光ディスク再生装置）の第１の実施形態について説明する。光ディスクプレーヤは、テレビ等の表示装置に接続されて、光ディスク（ＣＤ、ＤＶＤ、Ｂｌｕ−ｒａｙ  Ｄｉｓｃ等の記憶媒体）内に記憶された情報に基づいて映像や音楽等を表示装置に出力することができる。
【０００８】
図１、図２に示すように、光ディスクプレーヤ１１は、例えば合成樹脂材料によって箱状に形成された筐体１２と、筐体１２の内部に収納されたタッチセンサである第１の基板１３と、筐体１２の内部に収納されるとともに光源が設けられた第２の基板１４と、第１の基板１３および第２の基板１４の間に介在された弾性体１５と、弾性体１５を貫いて設けられる複数の貫通孔部１６と、第１の基板１３を位置決めするために筐体１２に設けられた位置決め部１７と、第１の基板１３と第２の基板１４とを接続するケーブル１８（フレキシブルケーブル）と、を備えている。筐体１２は、例えば、天板をなす第１のケース２１（上ケース）、底壁および側壁を構成する第２のケース２２（下ケース）、前壁を構成する第３のケース２３（前ケース）等、複数の部品を組み合わせて箱状に形成される。筐体１２の第３のケース２３は、第１の基板１３に対応した位置に、透明な窓部２４（透明パネル）を有しており、窓部２４を介して第１の基板１３の発光状態を外部から確認することができる。
【０００９】
図２、図３に示すように、第１の基板１３は、筐体１２の第３のケース２３の窓部２４に密着するように設けられている。第１の基板１３は、静電容量型のセンサ基板であり、例えば、第１の基板１３の付近にある筐体１２にユーザの手（手の平、指等）が接触したり、或いは第１の基板１３の近くにユーザの手（手の平、指等）が位置したりしたときに、これを感知することができる。第１の基板１３は、長方形の板状をなしている不透光性の第１の基板本体２５と、第１の基板本体２５に例えばそれぞれ円形に設けられた不透光性の複数のセンサ領域２６（静電容量スイッチ）と、センサ領域２６の内側に設けられ所定の形状をなしている透光性のある複数の透光部２７と、を有している。第１の基板本体２５は、その内側に位置決め部１７が通される溝部２８が例えば一対に設けられており、位置決め部１７によって筐体１２（第３のケース２３）に対して位置決めされる。透光部２７同士は、互いの大きさが異なっている（図２、図４、図７参照）。これに対応して、貫通孔部１６同士も互いに大きさが異なっている。
【００１０】
第２の基板１４は、例えば、ねじ等の固定手段によって第３のケース２３の内側に嵌り込むように固定される。第２の基板１４は、第２の基板本体３１と、第２の基板本体３１上に実装された光源である複数のＬＥＤ３２と、を有している。ＬＥＤ３２のそれぞれは、第２の基板１４のなしている面に対して交差（直交）する方向に光を照射できるいわゆる直上発光タイプ（砲弾型）のもので構成され、透光部２７に向けて光を照射することができる。
【００１１】
図２に示すように、位置決め部１７は、筐体１２の内部に向けて突出したリブ状に設けられており、溝部２８に対応して例えば一対に設けられている。図１に示すように、光ディスクプレーヤ１１は、さらに、光ディスクの読み出し部３３および光ディスクが搭載されるトレイ３４、ＣＰＵ等の回路部品が実装された制御基板などを有している。
【００１２】
図２に示すように、本実施形態において、弾性体１５は、２個で構成されている。弾性体１５は、ゴム又は合成樹脂材料によってスポンジ状に形成されている。本実施形態では、弾性体１５は第２の基板１４に接着されているが、これ限定されるものではなく、弾性体１５は第１の基板１３に接着されていてもよい。図３に示すように、弾性体１５は、２つの貫通孔部１６と、貫通孔部１６の周囲をそれぞれ規定する２個の縁部１６Ａと、を有している。この貫通孔部１６の内側に、光源であるＬＥＤ３２と、透光部２７とがそれぞれ配置されている。弾性体１５の２つの貫通孔部１６は、例えば所定の形状のポンチ等で打ち抜いて形成される。なお、弾性体１５は、４個の貫通孔部１６が並んで設けられた１個の長方形のブロック状に構成されてもよい。
【００１３】
続いて、図３、図４を参照して、再生を停止するための停止ボタン３５を例に、第１の基板１３の透光部２７、センサ領域２６、および弾性体１５の貫通孔部１６の縁部１６Ａの位置関係について説明する。停止ボタン３５の場合、透光部２７は四角形をなしている。センサ領域２６は、円形である。そして、本実施形態では、貫通孔部１６の縁部１６Ａは、円形をなしており、透光部２７の四角形の角部の位置を通る円形である。このため、縁部１６Ａ（縁部１６Ａの第１の基板１３と接触している部分）は、第１の基板１３と平行な面内において、透光部２７よりも外側で、センサ領域２６よりも内側に位置されている。これによって、ＬＥＤ３２からの光が透光部２７に集中して照射される。
【００１４】
この貫通孔部１６の縁部１６Ａの形状は、図４に示されるものには限定されない。例えば、図５に示す第１の変形例のように、センサ領域２６の内側ぎりぎりの位置、つまりセンサ領域２６の円形よりも若干小さい径の円形で、センサ領域２６に沿うように縁部１６Ａを配置してもよい。これによっても、ＬＥＤ３２からの光が透光部２７に集中して照射される。
【００１５】
縁部１６Ａの形状は、さらに、図６に示す第２の変形例のように、透光部２７の外側のぎりぎりの位置、つまり透光部２７の四角形よりも若干辺の長さが長い四角形で、透光部２７に沿うように縁部１６Ａを配置してもよい。これによって、ＬＥＤ３２からの光が透光部２７に集中して照射される。以上の図４〜図６から明らかなように、縁部１６Ａは、透光部２７よりも外側で、センサ領域２６よりも内側に位置されていれば、どのような形状でも透光部２７を明るく照らすことができる。
【００１６】
さらに、図７を参照して、再生および一時停止をするための再生・一時停止ボタン３６を例に、第１の基板１３の透光部２７、センサ領域２６、および弾性体１５の貫通孔部１６の縁部１６Ａの位置関係について説明する。再生・一時停止ボタン３６の場合、透光部２７は、三角形と２個の長方形とを組み合わせた形状（幾何形状）をなしており、停止ボタン３５の透光部２７よりも大きくなっている。センサ領域２６は、円形である。そして、本実施形態では、貫通孔部１６の縁部１６Ａは、円形をなしており、透光部２７の幾何形状の角部の位置を通る円形である。なお、再生・一時停止ボタン３６に対応する縁部１６Ａの円形は、例えば、センサ領域２６（透光部２７）の中心からずれて（偏心して）位置されるとともに、停止ボタン３５に対応する貫通孔部１６の縁部１６Ａよりも大きく形成される。縁部１６Ａ（縁部１６Ａの第１の基板１３と接触している部分）は、第１の基板１３と平行な面内において、透光部２７よりも外側で、センサ領域２６よりも内側に位置されている。これによって、ＬＥＤ３２からの光が透光部２７に集中して照射される。
【００１７】
この貫通孔部１６の縁部１６Ａの形状は、図７に示されるものには限定されない。例えば、図８に示す第３の変形例のように、センサ領域２６の内側ぎりぎりの位置、つまりセンサ領域２６の円形よりも若干径の小さい円形で、センサ領域２６に沿うように縁部１６Ａを配置してもよい。これによっても、ＬＥＤ３２からの光が透光部２７に集中して照射される。
【００１８】
図７、図８から明らかなように、縁部１６Ａは、透光部２７よりも外側で、センサ領域２６よりも内側に位置されていれば、どのような形状（丸、四角、透光部の幾何形状に沿った形状）でも透光部２７を明るく照らすことができる。
【００１９】
第１の実施形態によれば、光ディスクプレーヤ１１は、筐体１２と、ユーザの手を感知できるセンサ領域２６と、センサ領域２６の内側に設けられた透光部２７と、を有するとともに、筐体１２の内部に設けられた第１の基板１３と、透光部２７に向けて光を照射する光源が設けられるとともに、第１の基板１３から分離して設けられた第２の基板１４と、内側に光源と透光部２７とが配置された貫通孔部１６が設けられるとともに、第１の基板１３と第２の基板１４との間に介在された弾性体１５と、を備え、貫通孔部１６の周囲を規定した縁部１６Ａは、透光部２７よりも外側で、センサ領域２６よりも内側に位置される。
【００２０】
この構成によれば、貫通孔部１６の内側に光源および透光部２７が位置されるため、光源の光によって透光部２７を明るく照らすことができる。これによって、電子機器の外観を良好にして、電子機器に高級感を持たせることができる。またこの構成によれば、光源からの光を不必要に広範囲に拡散することなく、透光部２７に光を集中させることができる。特に、透光部２７に光を照射する構造となっているため、センサ領域２６全体を照らすことで、センサ領域２６全体の明るさが低下してしまうことを防止できる。なお、このようにセンサ領域２６全体を照明しない構造としても、ユーザは透光部２７付近に触れることが通常と考えられるために、ボタンに触れても作動しないなどの不具合を生じることはない。
【００２１】
筐体１２は、第１の基板１３を位置決めするための位置決め部１７を有する。この構成によれば、位置決め部１７によって第１の基板１３の位置を決定できるとともに、弾性体１５の反発力によって第１の基板１３を第２の基板１４からある一定の距離離して配置することができ、第１の基板１３を固定するためのねじ等の固定手段や、両面テープ等の接着手段を不要にすることができる。これによって、組み立て時の作業性を向上できるとともに、修理等のメンテナンスをする際に第１の基板１３の取り外しを容易にすることができる。
【００２２】
弾性体１５は、スポンジ状をなしている。この構成によれば、弾性体１５を軽量にすることができ、電子機器全体としても軽量化を図ることができる。また、反射板等を不要にすることができ、製造コストを低減することができる。
【００２３】
複数の透光部２７は、互いの大きさが異なるとともに、複数の貫通孔部１６は、互いの大きさが異なる。この構成によれば、透光部２７の大きさに応じて、透光部２７に向けて適切に光を照射することができる。これによって、不必要に光が周囲に拡散してしまうことを防止して、透光部２７に光を集中させることができる。
【００２４】
続いて図９、図１０を参照して、電子機器の第２の実施形態および第３の実施形態について説明する。第２の実施形態および第３の実施形態の電子機器の一例である光ディスクプレーヤ１１は、弾性体１５の貫通孔部１６および縁部１６Ａの形状が点で第１の実施形態のものと異なっているが、他の部分は第１の実施形態と共通している。このため、主として異なる部分について説明し、共通する部分については説明或いは図示を省略する。
【００２５】
図９に示すように、第２の実施形態の光ディスクプレーヤ１１では、弾性体１５は、２個で構成されている（図９では、１個のみ示す）。弾性体１５は、ゴム又は合成樹脂材料によってスポンジ状に形成されている。弾性体１５は第２の基板１４に接着されているが、これ限定されるものではなく、弾性体１５は第１の基板１３に接着されていてもよい。弾性体１５は、２つの貫通孔部１６と、貫通孔部１６の周囲をそれぞれ規定する２個の縁部１６Ａと、を有している。各貫通孔部１６および各縁部１６Ａは、段部４１を有しており、段付き孔状をなしている。
【００２６】
続いて、図９を参照して、停止ボタン３５および再生・一時停止ボタン３６を例に、第１の基板１３の透光部２７、センサ領域２６、および弾性体１５の貫通孔部１６の縁部１６Ａの位置関係について説明する（なお、第２、第３の実施形態では、第１の実施形態とは異なり、前方から見て、左側から再生・一時停止ボタン３６、停止ボタン３５、トレイ引出しボタン、電源ボタンの順にボタンが配置されている）。停止ボタン３５の場合、透光部２７は四角形をなしている（図４参照）。センサ領域２６は、円形である。本実施形態では、貫通孔部１６の縁部１６Ａは、例えば段付きの円筒形をなしており、透光部２７の四角形の角部の位置を通っている（図４参照）。このため、縁部１６Ａ（縁部１６Ａの第１の基板１３と接触している部分）は、第１の基板１３と平行な面内において、透光部２７よりも外側で、センサ領域２６よりも内側に位置されている。
【００２７】
再生・一時停止ボタン３６の場合、透光部２７は、三角形と２個の長方形とを組み合わせた形状（幾何形状）をなしている（図７参照）。センサ領域２６は、円形である。また、貫通孔部１６の縁部１６Ａは、例えば段付きの円筒形をなしており、透光部２７の幾何形状の角部の位置を通っている（図７参照）。なお、再生・一時停止ボタン３６に対応する縁部１６Ａの円筒形は、センサ領域２６（透光部２７）の中心からずれて（偏心して）位置されるとともに、停止ボタン３５に対応する貫通孔部１６の縁部１６Ａよりも大きく形成される。縁部１６Ａ（縁部１６Ａの第１の基板１３と接触している部分）は、第１の基板１３と平行な面内において、透光部２７よりも外側で、センサ領域２６よりも内側に位置されている。
【００２８】
第２の実施形態のような貫通孔部１６および縁部１６Ａの形状でも、透光部２７を明るく照らして、電子機器の外観を良好にできる。
【００２９】
図１０に示すように、第３の実施形態の光ディスクプレーヤ１１では、弾性体１５は、２個で構成されている（図１０では、１個のみ示す）。弾性体１５は、２つの貫通孔部１６と、貫通孔部１６の周囲をそれぞれ規定する２個の縁部１６Ａと、を有している。各貫通孔部１６は、第１の基板１３に近づくにつれて径が大きくなる形状をなしている。
【００３０】
図１０を参照して、停止ボタン３５および再生・一時停止ボタン３６を例に、第１の基板１３の透光部２７、センサ領域２６、および弾性体１５の貫通孔部１６の縁部１６Ａの位置関係について説明する。停止ボタン３５の場合、透光部２７は四角形をなしている（図４参照）。センサ領域２６は、円形である。本実施形態では、貫通孔部１６の縁部１６Ａは、例えば第１の基板１３に近づくにつれて径が大きくなる円筒形をなしており、透光部２７の四角形の角部の位置を通っている（図４参照）。縁部１６Ａ（縁部１６Ａの第１の基板１３と接触している部分）は、第１の基板１３と平行な面内において、透光部２７よりも外側で、センサ領域２６よりも内側に位置されている。
【００３１】
再生・一時停止ボタン３６の場合、透光部２７は、三角形と２個の長方形とを組み合わせた形状（幾何形状）をなしている（図７参照）。センサ領域２６は、円形である。また、貫通孔部１６の縁部１６Ａは、例えば第１の基板１３に近づくにつれて径が大きくなる円筒形をなしており、透光部２７の幾何形状の角部の位置を通っている（図７参照）。なお、再生・一時停止ボタン３６に対応する縁部１６Ａの円筒形は、センサ領域２６（透光部２７）の中心からずれて（偏心して）位置されており、停止ボタン３５に対応する貫通孔部１６の縁部１６Ａよりも大きく形成される。縁部１６Ａ（縁部１６Ａの第１の基板１３と接触している部分）は、第１の基板１３と平行な面内において、透光部２７よりも外側で、センサ領域２６よりも内側に位置されている。
【００３２】
第３の実施形態のような貫通孔部１６および縁部１６Ａの形状でも、透光部２７を明るく照らして、電子機器の外観を良好にできる。
【００３３】
電子機器の一例である光ディスクプレーヤ１１は、上記実施形態そのままに限定されるものではなく、実施段階ではその要旨を逸脱しない範囲で構成要素を変形して具体化できる。すなわち、上記の光ディスクプレーヤ１１には、上記光ディスクに加えて、内蔵する記憶装置やその他の記憶装置から情報を読み出して映像や音楽等を表示装置に出力できるものも含まれる。また、上記実施形態およびその変形例に開示されている複数の構成要素の適宜な組み合わせにより種々の発明を形成できる。例えば、実施形態に示される全構成要素から幾つかの構成要素を削除してもよい。更に、異なる実施形態および変形例に亘る構成要素を適宜組み合わせてもよい。
【符号の説明】
【００３４】
１１…光ディスクプレーヤ、１２…筐体、１３…第１の基板、１４…第２の基板、１５…弾性体、１６…貫通孔部、１６Ａ…縁部、１７…位置決め部、２６…センサ領域、２７…透光部、３２…ＬＥＤ
【図１】
2013134361.tif 000003
【図２】
2013134361.tif 000004
【図３】
2013134361.tif 000005
【図４】
2013134361.tif 000006
【図５】
2013134361.tif 000007
【図６】
2013134361.tif 000008
【図７】
2013134361.tif 000009
【図８】
2013134361.tif 000010
【図９】
2013134361.tif 000011
【図１０】
2013134361.tif 000012
【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
筐体と、
ユーザの手を感知できるセンサ領域と、前記センサ領域の内側に設けられた透光部と、を有するとともに、前記筐体の内部に設けられた第１の基板と、
前記透光部に向けて光を照射する光源が設けられるとともに、前記第１の基板から分離して設けられた第２の基板と、
内側に前記光源と前記透光部とが配置された貫通孔部が設けられるとともに、前記第１の基板と前記第２の基板との間に介在された弾性体と、
を備え、
前記貫通孔部の周囲を規定した縁部は、前記透光部よりも外側で、前記センサ領域よりも内側に位置される電子機器。
【請求項２】
前記筐体は、前記第１の基板を位置決めするための位置決め部を有する請求項１に記載の電子機器。
【請求項３】
前記弾性体は、スポンジ状をなしている請求項２に記載の電子機器。
【請求項４】
筐体と、
ユーザの手を感知できる複数のセンサ領域と、前記複数のセンサ領域の内側にそれぞれ設けられた複数の透光部と、を有するとともに、前記筐体の内部に設けられた第１の基板と、
前記複数の透光部に向けてそれぞれ光を照射する複数の光源が設けられるとともに、前記第１の基板から分離して設けられた第２の基板と、
内側に前記光源と前記透光部とがそれぞれ配置された複数の貫通孔部が設けられるとともに、前記第１の基板と前記第２の基板との間に介在された弾性体と、
を備え、
前記複数の貫通孔部の周囲を規定した複数の縁部は、前記複数の透光部よりも外側で、前記複数のセンサ領域よりも内側にそれぞれ位置される電子機器。
【請求項５】
前記複数の透光部は、互いの大きさが異なるとともに、
前記複数の貫通孔部は、互いの大きさが異なる請求項４に記載の電子機器。
【手続補正２】
【補正対象書類名】明細書
【補正対象項目名】００３３
【補正方法】変更
【補正の内容】
【００３３】
電子機器の一例である光ディスクプレーヤ１１は、上記実施形態そのままに限定されるものではなく、実施段階ではその要旨を逸脱しない範囲で構成要素を変形して具体化できる。すなわち、上記の光ディスクプレーヤ１１には、上記光ディスクに加えて、内蔵する記憶装置やその他の記憶装置から情報を読み出して映像や音楽等を表示装置に出力できるものも含まれる。また、上記実施形態およびその変形例に開示されている複数の構成要素の適宜な組み合わせにより種々の発明を形成できる。例えば、実施形態に示される全構成要素から幾つかの構成要素を削除してもよい。更に、異なる実施形態および変形例に亘る構成要素を適宜組み合わせてもよい。
以下に、本願出願の当初の特許請求の範囲に記載された発明を付記する。
［６］
筐体と、
ユーザの手を感知できるセンサ領域と、前記センサ領域の内側に設けられた透光部と、を有するとともに、前記筐体の内部に設けられた第１の基板と、
前記透光部に向けて光を照射する光源が設けられるとともに、前記第１の基板から分離して設けられた第２の基板と、
内側に前記光源と前記透光部とが配置された貫通孔部が設けられるとともに、前記第１の基板と前記第２の基板との間に介在された弾性体と、
を備える電子機器。